(57)【要約】      （修正有）【課題】長時間の残光効果を保有させることを目的とした政治用ポスターを提供する。【解決手段】ベース紙１上に、文字３，４，５、図形又は写真２を単独又は複合表示したポスターにおいて、前記文字、図形又は写真の一部又は全部を、数時間以上の残光時間を有する蓄光インクを用いて表示したことを特徴とする政治用ポスターにより、目的を達成した。【選択図】図１
0003145939.tif 000002
【実用新案登録請求の範囲】
【請求項１】
ベース紙上に、文字、図形又は写真を単独又は複合表示したポスターにおいて、前記文字、図形又は写真の一部又は全部を、数時間以上の残光時間を有する蓄光インクを用いて表示したことを特徴とする政治用ポスター。
【請求項２】
ベース紙上に、文字、図形又は写真を単独又は複合表示したポスターにおいて、前記文字中、少なくとも氏名を、６時間以上の残光時間を有する蓄光インクを用いて表示したことを特徴とする政治用ポスター。
【請求項３】
ベース紙上に、文字、図形又は写真を単独又は複合表示したポスターにおいて、前記文字中、少なくとも氏名を、６時間以上の残光時間を有する蓄光シートで表示したことを特徴とする政治用ポスター。
【請求項４】
ベース紙上に、文字、図形又は写真を単独又は複合表示したポスターにおいて、前記文字、図形又は写真の一部又は全部を、数時間以上の残光時間を有する蓄光インクを用いて表示すると共に、前記ベース紙上に透明フィルムを被着したことを特徴とする政治用ポスター。
【考案の詳細な説明】
【技術分野】
【０００１】
この考案の政治用ポスターとは、候補者の顔写真及び氏名を印刷した配布用ポスター、政党の政策等を周知させる為のポスター又は選挙関連の各種集会を公示するポスターなどであって、各ポスターの少なくとも文字に蓄光インクを用い、日没後でも相当の長時間残光するようにしたものである。
【背景技術】
【０００２】
従来発光ポスターとしては、文字又は図形の一部を通常インクで印刷し、他部を蓄光インクで印刷した発光ポスターが知られている。
【０００３】
また残光時間を長くする為の蓄光インクの発明が提案されている。
【特許文献１】実用新案登録第３０９５７６７号
【特許文献２】特開２００５−１５４４５６
【考案の開示】
【考案が解決しようとする課題】
【０００４】
従来文字又は図形の一部を通常インクで印刷し、他部を蓄光インクで印刷した発光ポスターが提案されていた（特許文献１）。前記発光ポスターは、残光時間が１０分〜６０分であって、政治用には採用される利点がない問題点があった。一方蓄光インクの開発（残光時間の長時間化、特許文献２）が続けられ、最近は数時間以上の残光時間が見込まれるようになったので、政治用ポスターとしても不採用の条件が少なくなった。
【課題を解決するための手段】
【０００５】
この考案は、残光時間が数時間以上の蓄光インクを選定し、これを用いて文字又は図形を印刷し、又は前記蓄光インクを使用した蓄光シートをカットして文字又は図形を形成することにより、前記従来の問題点を解決したのである。
【０００６】
即ちこの考案は、ベース紙上に、文字、図形又は写真を単独又は複合表示したポスターにおいて、前記文字、図形又は写真の一部又は全部を、数時間以上の残光時間を有する蓄光インクを用いて表示したことを特徴とする政治用ポスターであり、ベース紙上に、文字、図形又は写真を単独又は複合表示したポスターにおいて、前記文字中、少なくとも氏名を、６時間以上の残光時間を有する蓄光インクを用いて表示したことを特徴とする政治用ポスターである。
【０００７】
また他の考案は、ベース紙上に、文字、図形又は写真を単独又は複合表示したポスターにおいて、前記文字中、少なくとも氏名を、６時間以上の残光時間を有する蓄光シートで表示したことを特徴とする政治用ポスターであり、ベース紙上に、文字、図形又は写真を単独又は複合表示したポスターにおいて、前記文字、図形又は写真の一部又は全部を、数時間以上の残光時間を有する蓄光インクを用いて表示すると共に、前記ベース紙上に透明フィルムを被着したことを特徴とする政治用ポスターである。
【０００８】
前記における政治用ポスターとは、政党活動用ポスター、政治活動用ポスター、又は選挙用などのように政治に直接又は間接的に効果を発揮するポスターをいう。
【０００９】
前記における蓄光顔料としては、例えば一般式Ｍｏ・Ａｌ２・ＳｉＯ８で表され、Ｍガストロンチウム、カルシウム、マグネシウム、バリウムからなる群から選ばれる少なくとも１つ以上の金属元素からなる蓄光材料（特許文献２、但し残光時間の記載はない）が提案されている。蓄光顔料については、前記の他色々の成分を含む顔料が考えられており、前記成分に限定されるものではない。要は残光時間が数時間（４〜６時間）以上のものならばこの考案の蓄光インクを材料として使用することができる。
【００１０】
この考案のポスターは、政治用であるから、文字中には候補者氏名を含むことになる。また政治活動用ポスター又は政党活動用ポスターであっても、選挙に関連し、又は政党人を印象づける為に文字又は図形中に政党名又は人名は必ず含まれる。尤も単なる政党の主張を記載する場合には人名は含まないが、請求項１記載のように文字又は図形は必須要件であるから、文字の一部（例えば政党名）を蓄光インクで印刷すれば、この考案の実施である。
【００１１】
この考案の蓄光インクの残光時間は、夜間に発光すればよいので、６時間以上１２時間程度が好ましい。
【００１２】
この考案における表示とは、印刷又は手書きが考えられ、或いは蓄光シートをカットして貼着する場合もある。
【考案の効果】
【００１３】
この考案によれば、ポスターに記載した氏名については、短くとも数時間以上、なるべく６時間以上残光するので、最短でも日没から数時間は光ることになり、夜間の認識を深めることができる効果がある。
【００１４】
また残光によって氏名が目立つので、写真があれば日照下において写真と共に氏名を認識することにもなり、通行する者の注意を喚起し、ポスターの目的を達成することができるなどの諸効果がある。
【考案を実施するための最良の形態】
【００１５】
この考案によれば、ベース紙上に文字、図形又は写真を単独又は複合して表示するに当たり、その一部又は全部を、数時間以上（好ましくは６時間以上）の残光時間を有する蓄光インクで表示した政治用ポスターである。
【００１６】
この考案は、主として夜間（照明がないか、照明が不十分）に、候補者の氏名は認識出来るようにすること目的としたものである。前記のようにすれば、ポスター中少なくとも候補者名は２０時間以上に亘り認識されることになるので、ポスター本来の目的を達成することができる。
【実施例１】
【００１７】  この考案の実施例を図１に基づいて説明すれば、ベース紙１に、候補者の写真２と、（公序良俗違反につき、不掲載）公認の文字３と、衆議院議員の文字４とを普通インクで印刷し、候補者平成太郎の文字５を、６時間以上の残光時間を有する蓄光インクで印刷して、この考案のポスター８を完成した。【００１８】
前記は政党関係の文字３，４と、候補者氏名の文字５とに分けて記載したが、この考案の請求項のポスターにおける文字といえば、前記文字３，４，５を当然含むものとする。前記の他政策その他情報を伝達する為の文字は総て含むものとする。
【００１９】
前記実施例において、文字、写真などは印刷する。例えばベース紙１上へ写真２を印刷した後、文字３，４，５を６時間以上の残光効果を有する蓄光インクで印刷し、ついで透明フィルム６を被着する。前記印刷及び透明フィルムの被着技術は、公知のポスターなどを印刷する技術によるものとする。
【実施例２】
【００２０】
この考案の他の実施例を図２に基づいて説明すると、ベース紙１に、写真２とイラスト７を印刷し、ついで個人演説会、衆議院議員平成太郎の文字３，４，５を１０時間の残光時間を有する蓄光インクで印刷した後、表面に透明フィルムを被着する。この場合に透明フィルムは、印刷又はラミネートなど公知の技術により設ける。
【００２１】
前記実施例においては、文字３，４，５を蓄光インクで印刷したが、文字４，５又は文字５のみを蓄光インクで印刷し、他の文字３、又は文字３，４と場所、日時の文字９は普通インクで、写真と同時に印刷する場合もある。
【００２２】
前記実施例において、図２（ａ）の平成太郎の文字は、蓄光シート９を文字にカットして、所定位置へ貼着したものである。
【実施例３】
【００２３】  この考案の他の実施例を図３に基づいて説明すれば、ベース紙１上へ写真２，２と弁士と講演会の文字３を印刷すると共に、（公序良俗違反につき、不掲載）講演会の文字３と、場所、日時等の文字９を印刷し、ついで平成太郎５と平成花子５の文字を蓄光インクで印刷する。【００２４】
前記のように照明がなくなってからも見て貰いたい文字、図形は、蓄光インクで印刷する。
【図面の簡単な説明】
【００２５】
【図１】（ａ）この考案の実施例の平面図、（ｂ）同じく一部断面拡大図。
【図２】（ａ）同じく他の実施例の平面図、（ｂ）同じく名前の平面拡大図。
【図３】同じく他の実施例の平面図。
【符号の説明】
【００２６】
１  ベース板
２  写真
３，４，５  文字
６  透明フィルム
７  イラスト
８  ポスター
【図１】
0003145939.tif 000003
【図２】
0003145939.tif 000004
【図３】
0003145939.tif 000005
【手続補正書】
【提出日】平成20年8月26日(2008.8.26)
【手続補正１】
【補正対象書類名】明細書
【補正対象項目名】００１７
【補正方法】変更
【補正の内容】
【００１７】
この考案の実施例を図１に基づいて説明すれば、ベース紙１に、候補者の写真２と、○○党公認の文字３と、衆議院議員の文字４とを普通インクで印刷し、候補者平成太郎の文字５を、６時間以上の残光時間を有する蓄光インクで印刷して、この考案のポスター８を完成した。
【手続補正２】
【補正対象書類名】明細書
【補正対象項目名】００２３
【補正方法】変更
【補正の内容】
【００２３】
この考案の他の実施例を図３に基づいて説明すれば、ベース紙１上へ写真２，２と弁士と講演会の文字３を印刷すると共に、○○党講演会の文字３と、場所、日時等の文字９を印刷し、ついで平成太郎５と平成花子５の文字を蓄光インクで印刷する。
【手続補正３】
【補正対象書類名】図面
【補正対象項目名】図１
【補正方法】変更
【補正の内容】
【図１】
0003145939.tif 000006
【手続補正４】
【補正対象書類名】図面
【補正対象項目名】図３
【補正方法】変更
【補正の内容】
【図３】
0003145939.tif 000007